(57)【要約】【課題】  ドア見込みの寸法値ＤＴの影響を受けずに、最大開度を設定することができ、且つ、ドア外面の外観を損なうことのない、ドアクローザの取付構造の提供。【解決手段】  片面フラッシュドアの基板上端に形成された屈曲縁部に対して、ドアクローザ当接板及びドア縁部当接板を有するブラケットを介して、ドアクローザ本体を取着してなり、前記ドアクローザ当接板からフラッシュドアの基板までの距離が、ドア見込みと略等しいものとしたことを特徴とするドアクローザの取付構造を解決手段とする。【選択図】  図４
2006144433.tif 000002
【特許請求の範囲】
【請求項１】
片面フラッシュドアの基板上端に形成された屈曲縁部に対して、ドアクローザ当接板及びドア縁部当接板を有するブラケットを介して、ドアクローザ本体を取着してなり、前記ドアクローザ当接板から片面フラッシュドアの基板までの距離が、ドア見込みと略等しいものとしたことを特徴とするドアクローザの取付構造。
【請求項２】
片面フラッシュドアの基板上端に形成された屈曲縁部に対して、ドアクローザ当接板及びドア縁部当接板を有するブラケットを介して、ドアクローザ本体を取着してなり、
室内側から屈曲板、周壁板、基板が順次連続して断面略コの字状となる屈曲縁部における前記屈曲板の内面に対して、ブラケットのドア縁部当接面を取着し、屈曲縁部の前記周壁板の内面に対して、ブラケットのドアクローザ当接板を取着してなることを特徴とするドアクローザの取付構造。
【請求項３】
片面フラッシュドアの基板上端に形成された屈曲縁部に対して、ドアクローザ当接板及びドア縁部当接板を有するブラケットを介して、ドアクローザ本体を取着してなり、
周壁板と基板が連続する断面略Ｌの字状に配置してなる屈曲縁部における前記周壁板の内面にブラケットのドア縁部当接板の外面を取着し、
ドアクローザ当接板の外面から片面フラッシュドアにおける基板の外面までの距離が、ドア見込みと略等しいものとしたことを特徴とするドアクローザの取付構造。
【請求項４】
片面フラッシュドアの基板上端に形成された屈曲縁部に対して、ドアクローザ当接面及びドア縁部当接部を有する板状のブラケットを介して、ドアクローザ本体を取着してなり、
前記ドアクローザ当接面から片面フラッシュドアの基板の外面までの距離が、ドア見込みと略等しいものとしたことを特徴とするドアクローザの取付構造。
【発明の詳細な説明】
【技術分野】
【０００１】
本発明は、各種の点検口、配電盤、物置（トランクルーム）等に使用される片面フラッシュドアに使用するドアクローザの取付構造であって、ドア見込み寸法ＤＴの影響を受けずに最大開度を設定するドアクローザの取付構造に関する。尚、本発明において、片面フラッシュドアとは、金属製薄板からなる基板の端部に屈曲縁部を備えてなるドアをいう。また前記屈曲縁部とは、基板と同一又は異なる板材である屈曲板によって、片面フラッシュドアの縁部において屈曲形状として形成される部分をいう。更に、本発明において、ドア見込みとはドアの奥行き即ちドアの厚さをいい、片面フラッシュドアにおけるドア見込みとは、屈曲縁部を含んだ片面フラッシュドアの厚さをいう。
【背景技術】
【０００２】
従来、ドアクローザの取付構造として、ドアの室内側外面に対してドアクローザをビス等の固着手段によって固定することが公知である（例えば、特許文献１参照。）。
【０００３】
一方、本出願人が実施している公知のドアクローザの取付構造（以下、先行技術２という。）を、図７乃至図９に示す。先行技術２に係るドアクローザの取付構造は、ドア９１の上端部若しくは下端部に屈曲縁部９２を形成してなる片面フラッシュドアに対して、ブラケット９０を介し、アーム９４、９５を有するドアクローザ９３を固定してなるドアクローザの取付構造である。
【０００４】
【特許文献１】特開昭５６−１６１０７４号公報
【発明の開示】
【発明が解決しようとする課題】
【０００５】
ドアクローザは、ドアの基板内面に取付けることで、ドアヒンジの軸Ｃを回転軸とする最大開度（以下、ドアの最大開度という。）を一定とする。そして、ドアの最大開度は、図８に示すように、ドアクローザ本体９３に連結されるアーム９４、９５が伸び切った状態で実現される。このためドアクローザの取付位置は、ドアの最大開度に大きく影響する。
【０００６】
一般的なドア（即ち、両面フラッシュドア等のようにドアの内面と外面が別個に設けられているドアや、特許文献１に開示されるような、基板の縁部に屈曲部を有さず基板の厚みの大きいドア）の場合、ドアの最大開度は、ニつの要素の影響を受ける。ここで第一の要素は、ドアクローザ本体のドアに対する取付位置である。また、第二の要素は、ドアクローザのアームの先端に設けられるアーム側ブラケットにおける上枠等に対する取付位置である。
【０００７】
このため、一般的なドアであれば、例えば、最大開度を、８５度、９０度、１２０度の三通りの開度のいずれかを選択設定する場合、前記二つの要素について変更すればよい。ドアの厚み寸法ＤＴに関わらず、三通りのドアの最大開度の夫々に対応する取付位置が決定される。
【０００８】
片面フラッシュドアにおいても、同様にドア基板内面に対してドアクローザを取付けるため、該片面フラッシュドア９１においては、ドアの最大開度の設定に関して、問題が生ずる。
【０００９】
この問題について図８及び図９を用いて説明する。図８、図９には、異なるドア見込みＤＴ１、ＤＴ２を有するドアクローザの取付構造であり、夫々のドアの最大開度をＲ１、Ｒ２として示している。これら図８及び図９に開示されるドアクローザの取付構造は、上記二つの要素について同一であり、且つ、ドアが片面フラッシュドアであり、ドア基板に対して、ドアクローザを取付けるためのブラケットが取付けられている構成である。
【００１０】
ここで、ドア見込みはＤＴ１よりもＤＴ２の方が大きい。この結果、ドアに対するブラケット取付位置はＤＴ２の方がドアの外面方向に位置することとなる。結果として、図８に示すドアの最大開度Ｒ１よりも図９に示すドアの最大開度Ｒ２は大きくなる。
【００１１】
即ち、ドアが片面フラッシュドアであり、ドア基板に対して、ドアクローザを取付けるためのブラケットが取付けられている場合には、目的とするドアの最大開度を実現するドアクローザの位置決めを行うに際して、片面フラッシュドア９１のドア見込みＤＴ（若しくは内面側奥行寸法Ｄ９）が、ドアの最大開度を決定するための要素として加わる。
【００１２】
以上のように、片面フラッシュドアの場合には、上記二要素が同じであっても、図８及び図９に示すように、ドア基板内面に対してドアクローザを取付けるために、ドア見込みＤＴの異なるドアを用いる度に、ドアの最大角度が異なることとなる。このため、ドア見込みＤＴ（若しくは内面側奥行き寸法Ｄ９）に応じて、基板上のドアクローザの取付位置を変更する必要が生ずる。
【００１３】
このため、ドアクローザの取付作業者は、ドア見込みＤＴと、所望の最大開度に応じて、その都度取付位置を特定しなければならず、非常に手間となる欠点があった。
【００１４】
一方で、片面フラッシュドアは、基板の厚みが非常に小さいものである。このため、ドアクローザ若しくはブラケットを当該片面フラッシュドアの内面に対して取付ける際にビス等の固着手段を利用すると、図７に示すように、当該ビス等の固着手段９６が片面フラッシュドアの外面へ露出することとなり、外観体裁を損なう欠点があった。
【００１５】
また、当該ビス等の固着手段に代えてスポット溶接等によりドアクローザ若しくはブラケットを片面フラッシュドアの内面に対して取付ける場合には、当該片面フラッシュドアの外面にまで溶接による変形が生ずる。このため、ビス等の固着手段を用いる場合と同様に、外観体裁を損なうこととなる。
【００１６】
本発明は、以上の事情に鑑みてなされたものであり、片面フラッシュドアに対する取付構造において、ドア見込みＤＴの影響を受けずに所望の最大開度とするブラケット位置若しくはドアクローザの位置の決定を簡単に行うことができ、且つ、ブラケットの取付によってドア外面の外観を損なうことのない、ドアクローザの取付構造を提供することを、解決課題とするものである。
【課題を解決するための手段】
【００１７】
本発明は、片面フラッシュドアの基板上端に形成された屈曲縁部に対して、ドアクローザ当接板及びドア縁部当接板を有するブラケットを介して、ドアクローザ本体を取着してなり、前記ドアクローザ当接板から片面フラッシュドアの基板までの距離が、ドア見込みと略等しいものとしたことを特徴とするドアクローザの取付構造を、上記課題を解決するための手段とするものである。ここで、「距離が、ドア見込みと略等しい」とは、距離が完全に等しい場合のみならず、片面フラッシュドアにおける極めて薄い基板の厚み程度の差は等しいものとして許容する趣旨である。
【発明の効果】
【００１８】
請求項１に係る発明、即ち、片面フラッシュドアの基板上端に形成された屈曲縁部に対して、ドアクローザ当接板及びドア縁部当接板を有するブラケットを介して、ドアクローザ本体を取着してなり、前記ドアクローザ当接板から片面フラッシュドアの基板までの距離が、ドア見込みと略等しいものとしたドアクローザの取付構造によれば、基板上端に形成された屈曲縁部に対してブラケットを介しドアクローザ本体が取付けられることから、片面フラッシュドアの基板にドアクローザを取り付ける場合のようにドア見込み寸法ＤＴによって戸当たり面からドアクローザ取付位置までの距離が大きく変動することがないため、片面フラッシュドアのドア見込みとは無関係にドアクローザの取付位置を決定することができる。従って、当該取付構造によって、片面フラッシュドアのみが有する特殊な形状であるにもかかわらず、所望のドア最大開度を実現する最適な取付位置を容易に位置決めし、ドアクローザを簡単に取付けることができるのである。
【００１９】
以上により、片面フラッシュドアが用いられる各種の点検口、配電盤、物置（トランクルーム）等において、容易に必要に応じた最大開度を設定することができる。また、本発明における取付構造は、新規な片面フラッシュドアのみならず、既設の片面フラッシュドアに対しても、上記効果を発揮することができる。
【００２０】
また、上記構成によって、ブラケットは片面フラッシュドアの屈曲縁部に対して取付けられ、ドアクローザはブラケットのみに対して取付けられることから、ドア基板に対して固着手段を用いることがなく、ドア外面の外観を損なうことのないものとすることができる。
【００２１】
請求項２に係る発明、即ち、片面フラッシュドアの基板上端に形成された屈曲縁部に対して、ドアクローザ当接板及びドア縁部当接板を有するブラケットを介して、ドアクローザ本体を取着してなり、室内側から屈曲板、周壁板、基板が順次連続して断面略コの字状となる屈曲縁部における前記屈曲板の内面に対して、ブラケットのドア縁部当接面を取着し、屈曲縁部の前記周壁板の内面に対して、ブラケットのドアクローザ当接板を取着してなることを特徴とするドアクローザの取付構造によれば、実質的にドアクローザ当接板から片面フラッシュドアの基板までの距離が、ドア見込みと略等しい構成とすることによって、上記請求項１に係る発明と同様の効果を奏する。
【００２２】
また、請求項２に係る発明は、屈曲縁部の内面側にブラケットの外面をあてがうことによって、簡単にブラケットの位置決めを行うことができるから、これに伴ってドアクローザの取付位置を簡単に位置決めすることができる。
【００２３】
更に、当該請求項２に係る発明によれば、ドアクローザ当接板の外面を屈曲板の内面と当接するとともに、ドア縁部当接板の外面を周壁板の内面に当接する構成としている。これによって、異なるニ方向においてドア縁部へブラケットを固着する構成が確保でき、ブラケットの取付強度をより一層高めることができる。
【００２４】
次に、請求項３に係る発明、即ち、片面フラッシュドアの基板上端に形成された屈曲縁部に対して、ドアクローザ当接板及びドア縁部当接板を有するブラケットを介して、ドアクローザ本体を取着してなり、周壁板と基板が連続する断面略Ｌの字状に配置してなる屈曲縁部における前記周壁板の内面にブラケットのドア縁部当接板の外面を取着し、ドアクローザ当接板の外面から片面フラッシュドアにおける基板の外面までの距離が、ドア見込みと略等しいものとしたことから、上記請求項１に係る発明の効果に加えて、当該屈曲縁部端面とドアクローザ当接板との配置を容易に合わせることができ、極めて簡単な操作によって、ブラケットの位置決めを行うことができ、ひいてはドアクローザの取付位置を簡単に位置決めすることができる。
【００２５】
更に、請求項４に係る発明、即ち、片面フラッシュドアの基板上端に形成された屈曲縁部に対して、ドアクローザ当接面及びドア縁部当接部を有する板状のブラケットを介して、ドアクローザ本体を取着してなり、前記ドアクローザ当接面から片面フラッシュドアの基板の外面までの距離が、ドア見込みと略等しいものとしたドアクローザの取付構造とした場合には、上記請求項１に係る発明と同等の効果を得ることができるとともに、ブラケットの構成を最小限とすることで、非常に安価に、当該ドアクローザの取付構造を提供することができる。
【発明を実施するための最良の形態】
【００２６】
本発明は、ドアの端部に屈曲縁部を有する片面フラッシュドアに対して、断面Ｌ字状のブラケットを、前記屈曲縁部に対して取付けることによって、片面フラッシュドアであっても、ドア見込みに左右されずに最大開度を一定に保つことができるとともに、片面フラッシュドアの外面に対し固着手段による変形若しくは固着手段の露出が生ずることがなく、外観体裁が非常に良好となるドアクローザの取付構造を実現した。
【実施例】
【００２７】
図１は本発明の実施例１に係るドアクローザ１、ブラケット３、片面フラッシュドア２の取付状態を示す斜視図、図２は同実施例１に係るドアクローザ１の取付構造を示す斜視図、図３は同実施例１に係るドアクローザ１の取付構造を示す断面図、図４は本発明の実施例２に係るドアクローザ１の取付構造を示す斜視図、図５は同実施例２に係るドアクローザ１の取付構造を示す断面図、図６は本発明の他の実施例に係るドアクローザ１の取付構造を示す斜視図である。
【００２８】
（実施例１）
本発明の実施例１に係るドアクローザ１の取付構造は、図１乃至図３に示すように、基板２１の各端部にドア２の内面側へ略垂直に屈曲する屈曲板２６を形成してなる屈曲縁部２０を有する片面フラッシュドア２と、該片面フラッシュドア２の上端側の屈曲縁部２０に対して取付ける断面Ｌ字状のブラケット３と、該ブラケット３に対して取付けるドアクローザ本体１０とによって構成されるドアクローザ１の取付構造である。本実施例においては、前記片面フラッシュドア２の屈曲板２６の内面２０ａ側奥行寸法Ｄ３は、約２８ミリメートル程度として形成されている。
【００２９】
本発明の実施例１において用いるドアクローザ１と、ドアクローザ１に取付けるアーム側ブラケット１５は公知のものを使用している。ドアクローザ１は、ドアクローザ本体１０と、該ドアクローザ本体１０の上部略中央位置に設けられる軸部から順次連結される第一アーム１３、第二アーム１４を備えている。第二アーム１４の先端は、前記アーム側ブラケット１５に取付けられている。
【００３０】
また、ドアクローザ本体１０の左右側面には、取付基部１１が突出形成されており、該取付基部１１には、固定手段である螺子４によりブラケット３への取付を行う際に利用する取付穴１２を形成した構成である。本実施例１における螺子４は皿螺子を使用している。
【００３１】
本発明の実施例１において使用するブラケット３は、厚さ３ミリメートル程度のステンレス製板材を断面Ｌ字状に屈曲した構成として、当該屈曲により、ドアクローザ１に当接するドアクローザ当接板３０と、屈曲板２６の内面２０ａに当接するドア縁部当接板３１とを形成した構成である。
【００３２】
前記ブラケット３の幅は、使用するドアクローザ本体１０の幅と略同程度に形成している。当該ブラケット３におけるドア縁部当接板３１の奥行Ｄ２は、約２０ミリメートル程度として形成し、前記片面フラッシュドア２の屈曲縁部２０の内面２６ａ側奥行寸法Ｄ３よりも小さい寸法値としている。
【００３３】
ブラケット３のドアクローザ当接板３０における左右端近傍位置には、前記ドアクローザ１の取付基部１１に形成された取付穴１２に対応して、螺子穴３２を形成している。また、同様に、ドア縁部当接板３１においても、屈曲板２６への取付手段として、螺子穴３４を形成している。
【００３４】
そして、本発明の実施例に係るドアクローザ１の取付構造は、以上に示したブラケット３におけるドアクローザ当接板３０の外面３０ｂの延長平面上に、片面フラッシュドア２における屈曲縁部端面２２が配置するように、当該片面フラッシュドア２の屈曲縁部２０とブラケット３とを固着した構造となる。
【００３５】
尚、本実施例１においては、ブラケット３のドア縁部当接板３１と片面フラッシュドア２の屈曲縁部２０における屈曲板２６とは、皿螺子５によって固着した構成としている。即ち、本実施例においては、前記皿螺子５を固定手段としている。これに対応して、ブラケット３のドアクローザ当接板３０に螺子穴３２を形成している。また、片面フラッシュドア２の屈曲縁部２０の対応する位置には、皿螺子用のテーパー状貫通穴２４を形成している。当該構成によって、上方から皿螺子５をテーパー状貫通穴２４を介してブラケット３のドアクローザ当接板３０に形成した螺子穴３２へ螺合固定してなる。
【００３６】
前記皿螺子５を用いることによって、皿螺子５の螺子頭が片面フラッシュドア２の上面から突出することがないことから上枠と皿螺子５との接触を招来することがなく、安全で耐久性に優れ、且つ外観の体裁のよい取付構造とすることができる。
【００３７】
以上のように、本発明の実施例１に係るドアクローザ１の取付構造によれば、片面フラッシュドア２における屈曲縁部端面２２がブラケット３のドアクローザ当接板３０の外面３０ｂの延長平面上に位置するものとして、ドア縁部当接板３１とブラケット３の屈曲板２６の内面２０ａとを固着し、ドアクローザ当接板３０とドアクローザ本体１０とを固着し、ドアクローザ当接板３０の外面３０ｂから片面フラッシュドア２における基板２１の外面２１ｂまでの距離がドア見込みＤＴと等しいものとしている。当該構成によって、ドア見込みの寸法値ＤＴとは無関係に、片面フラッシュドア２であるにもかかわらず、ドア見込みに関係なく、最大開度を設定することができる。
【００３８】
（実施例２）
次に、本発明の実施例２に係るドアクローザ１の取付構造においては、構成要素中、ドアクローザ１、アーム側ブラケット３は、実施例１と同様である。また、ブラケット３はステンレス製板材を断面Ｌ字状に屈曲してドアクローザ当接板３０及びドア縁部当接板３１を形成した基本的な形状は一見すると実施例１と近似するものであるが、後記説明する片面フラッシュドアに対する取付構造の相違から、機能及び各部寸法が大幅に相違する。また、本実施例２における後記屈曲板２３の外面は、屈曲縁部端面２２として機能する。
【００３９】
本実施例２は、主として、実施例１とは異なる形状の屈曲縁部２０を有する片面フラッシュドア２に対する取付構造である。本実施例２においては、図４及び図５に示すように、片面フラッシュドア２の屈曲縁部２０は、当該片面フラッシュドア２の基板２１における先端側から屈曲板２３及び周壁板２５を連続して略直角に屈曲形成してなる。
【００４０】
そして、前記ブラケット３は、前記したように、ステンレス製板材を断面Ｌ字状に屈曲してドアクローザ当接板３０及びドア縁部当接板３１を形成したものであり、前記ドア縁部当接板３１の奥行寸法Ｄ２は片面フラッシュドア２の屈曲板２３から基板２１までの距離Ｄ４以下として形成されている。前記ドアクローザ当接板３０の縦長さ寸法は屈曲板２３の内面側高さ寸法よりも大きく形成している。
【００４１】
また、当該ブラケット３のドアクローザ当接板３０には、ドアクローザ１の固着に使用する螺子穴を設けている。ドア縁部当接板３１には、周壁板２５に対する固着に使用する螺子穴を設けている。
【００４２】
そして、本実施例２に係るドアクローザ１の取付構造は、ドアクローザ当接板３０の外面３０ｂを屈曲板２３の内面２３ａと当接し、ドア縁部当接板３１の外面３１ｂを周壁板２５の内面２５ａに当接する。ドア縁部当接板３１と周壁板２５は、実施例１と同様に、ブラケット３のドアクローザ当接板３０に螺子穴を形成する。また、対応する片面フラッシュドア２の屈曲縁部２０の対応する位置には、皿螺子用のテーパー状貫通穴を形成する。そして、上方から皿螺子５をテーパー状貫通穴を介してブラケット３のドアクローザ当接板３０に形成した螺子穴へ螺合固定している。
【００４３】
また、前記したように、ドアクローザ当接板３０の縦長さ寸法は屈曲板２３の内面側高さ寸法よりも大きく形成し、ドアクローザ当接板３０の外面を屈曲板２３の内面２３ａと当接する構成としたことによって、ドア縁部当接板３１は屈曲板２３と基板２１との間に収まってドア縁部当接板３１と周壁板２５とが当接し、ドアクローザ当接板３０のうち外面３０ｂの上部は屈曲板２３の内面２３ａに当接し、ドアクローザ当接板３０のうち前記屈曲板２３の下方にはドアクローザ当接板３０の外面３０ｂが露出した構成となる。
【００４４】
露出するドアクローザ当接板３０の縦方向寸法は、予めドアクローザ本体１０を取付可能な程度としており、当該露出した外面に対して、ドアクローザ本体１０を固着して構成する。固着手段は実施例１におけるドアクローザ１とブラケット３のドアクローザ当接板３０との固着と同様、螺子の螺合を利用した固着である。
【００４５】
尚、本実施例２において、ドアクローザ本体１０とドアクローザ当接板３０との固着手段は、実施例１と同様に螺子を利用した固着手段を利用している。
【００４６】
以上ように、本実施例２においては、屈曲板２３の内側に固着したドアクローザ当接板３０に、ドアクローザ本体１０が取付けられる構造となり、実質的にドアクローザ当接板３０の外面３０ｂから片面フラッシュドア２における基板２１の外面２１ｂまでの距離がドア見込みＤＴと略等しいものとしている。当該構成によって、片面フラッシュドア２であるにもかかわらず、ドア見込みの寸法値ＤＴに関係なく、最大開度を設定することができる。
【００４７】
上記したように、本発明における実施例１及び実施例２においては、ブラケット３のドアクローザ当接板３０と片面フラッシュドア２における屈曲縁部２０とは、皿螺子によって固着した構成としている。しかし、本発明においては、必ずしもこれに限るものではない。例えば、溶接による取付構造とすることができる。或いは、ブラケット３のドアクローザ当接板３０に貫通穴を形成するとともに、片面フラッシュドア２における屈曲縁部２０に螺子穴を形成することもできる。また、ブラケット３のドアクローザ当接板３０に貫通穴を形成するとともに、片面フラッシュドア２における屈曲縁部２０に貫通穴を形成し、螺子に対応するナットを用いる構造とすることもできる。また、更に公知な種々の固定構造を用いることができる。
【００４８】
また、本発明は、上記実施例１及び実施例２に限定されるものではない。即ち、ブラケットは、ドアクローザ本体に当接するドアクローザ取付面と、片面フラッシュドアの周壁板の内面に対して当接するドア取付面とを備え、片面フラッシュドアの上端に位置する内面側端面とドアクローザ取付面とを、ブラケットのドア取付面を片面フラッシュドアの前記内面側端面若しくは周壁板の内面に固着する構成であればよい趣旨である。
【００４９】
従って、例えば、実施例２の構成中、屈曲板２３の内面２３ａとドアクローザ当接板の外面の間に隙間を生じるものであっても良い。また、同様に実施例１の構成中、片面フラッシュドアの上端における屈曲縁部端面２２の位置をブラケットのドアクローザ当接板の外面の延長平面上とせず、相互の平行状態が確保された上で、いずれか一方の面を他方の面よりも突出する構成とすることもできる。
【００５０】
また、実施例におけるブラケット３は、ステンレス製としているが、他の常用される金属類（例えば、アルミや種々の合金等）を適宜選択して適用することができる。
【００５１】
ブラケット３の幅の長さはドアクローザ本体１０の幅と同程度とすることによって、ブラケット３とドアクローザ本体１０の十分な接触面積の保持による取付強度の確保、及び外観体裁の向上を得ることができる。しかしながら、本発明において、ブラケット３の幅長さはこれに限定するものではない。例えば、ドアクローザ本体１０よりもブラケット３の幅寸法が大きくすることもできる。また、ドアクローザ本体１０がブラケット３に確実に固定できる場合には、ドアクローザ１の幅よりもブラケット３の幅を小さくすることもできる。
【００５２】
更に、本発明において、「屈曲縁部が屈曲板、周壁板、基板により断面略コの字状として形成される片面フラッシュドア」とは、実施例２として開示する片面フラッシュドアの構成のように、基板自体を順次屈曲して屈曲縁部を形成する構成のみならず、図６に他の実施例（実施例３）として示すように、断面コの字状の屈曲縁部を基板に対して溶接等の手段で固着した構成との双方を含む趣旨である。
【００５３】
また、本発明においては、ブラケット３におけるドアクローザ取付面は必ずしも平板状とする必要はなく、例えば、他の実施例（実施例４）として、図１０に示すように、屈曲縁部が屈曲板、周壁板、基板により断面略コの字状として形成される片面フラッシュドアにおいて、ドアクローザ当接板３０に段部３３を形成し、屈曲縁部２０における屈曲板２３と、同一延長平面上となるドアクローザ当接板３０を形成する構成とし、ドアクローザ当接板３０の外面から片面フラッシュドア２における基板２１の外面２１ｂまでの距離が、ドア見込みＤＴと一致するものとすることもできる。
【００５４】
更に本発明において、片面フラッシュドアにおける屈曲縁部が、屈曲板、周壁板、基板により断面略コの字状として形成されているもののみに対して有効な構成を他の実施例（実施例５）として説明する。
【００５５】
当該実施例に係る構成は、図１１に示すように、ブラケット３の形状について、ドアクローザ当接面３５及びドア縁部当接部３６を備える板状としたものである。即ち、板状としたブラケットの一方の面をドアクローザ当接面とし、当該ブラケットの一端部をドア縁部当接部としたものである。
そして、片面フラッシュドア２の上端における屈曲板２３の内面２３ａとブラケット３のドアクローザ当接面３５の上部とを当接し、前記片面フラッシュドア２の上端における周壁板２５の内面２５ａとブラケット３のドア縁部当接部３６とを当接する。当該構成において、ドアクローザ当接面３５のうち屈曲板側に露呈する部分にドアクローザ本体１０を取付けてなる構成である。
【００５６】
尚、ブラケットと屈曲端部、ブラケットとドアクローザを執着するための固着手段は、上記した実施例１乃至実施例４と同様に、螺子等の固着手段のみならず、溶接を用いることもできる。
【図面の簡単な説明】
【００５７】
【図１】本発明の実施例１に係るドアクローザ、ブラケット、ドアの取付状態を示す斜視図である。
【図２】本発明の実施例１に係るドアクローザの取付構造を示す斜視図である。
【図３】本発明の実施例に１係るドアクローザの取付構造を示す一部断面とした右側面図である。
【図４】本発明の実施例２に係るドアクローザの取付構造を示す斜視図である。
【図５】本発明の実施例２に係るドアクローザの取付構造を示す一部断面とした右側面図である。
【図６】本発明の他の実施例（実施例３）に係るドアクローザの取付構造を示す斜視図である。
【図７】先行技術２に係るドアクローザの取付構造を示す一部断面とした右側面図である。
【図８】先行技術２に係るドアクローザの取付構造を示す平面図である。
【図９】先行技術２に係る、ドア見込み寸法の異なる他のドアクローザの取付構造を示す平面図である。
【図１０】本発明の他の実施例（実施例４）に係るドアクローザの取付構造におけるブラケット及び当該ブラケットを用いたドアクローザの取付構造を示す斜視図である。
【図１１】本発明の他の実施例（実施例５）に係るドアクローザの取付構造におけるブラケット及び当該ブラケットを用いたドアクローザの取付構造を示す斜視図である。
【符号の説明】
【００５８】
１      ドアクローザ
１０    ドアクローザ本体
１１    取付基部
１２    取付穴
１３    第一アーム
１４    第二アーム
１５    アーム側ブラケット
２      片面フラッシュドア
２０    屈曲縁部
２１    基板
２２    屈曲縁部端面
２３    屈曲板
２３ａ  内面
２４    テーパー状貫通穴
２５    周壁板
２５ａ  内面
２６    周壁板
２６ａ  内面
３      ブラケット
３０    ドアクローザ当接板
３０ｂ  外面
３１    ドア縁部当接板
３１ｂ  外面
３２    螺子穴
３３    段部
３４    螺子穴
３５    ドアクローザ当接面
３６    ドア縁部当接部
４      螺子
５      皿螺子
Ｃ      軸
Ｒ１    最大開度
Ｒ２    最大開度
９０    ブラケット
９１    片面フラッシュドア
９２    屈曲板
９３    ドアクローザ本体
９４    アーム
９５    アーム
９６    固着手段
【図１】
2006144433.tif 000003
【図２】
2006144433.tif 000004
【図３】
2006144433.tif 000005
【図４】
2006144433.tif 000006
【図５】
2006144433.tif 000007
【図６】
2006144433.tif 000008
【図７】
2006144433.tif 000009
【図８】
2006144433.tif 000010
【図９】
2006144433.tif 000011
【図１０】
2006144433.tif 000012
【図１１】
2006144433.tif 000013